(57)【要約】      （修正有）【課題】古新聞や古雑誌のような積み重ねると崩れやすい物品を十文字に梱包する際に使用すると婦女子や高齢者でも簡単にかつ確実に緊締することができる緊締補助具を提供する。【解決手段】板状の本体中央部から外側に向けて徐々に広がった紐挿通用のスリットを開設してその最深部を紐係止部とし、本体内部に該スリットに直交するように紐離脱防止用のストッパ−を摺動するための誘導溝を設けて該誘導溝に嵌合させたストッパ−を操作片でスリット内に出入させ、さらにはスリット最深部近傍に回動軸を有するツマミ状のストッパーに設けた小スリットと本体のスリットを一致させて紐を通したのち該ツマミ状ストッパーを回転することにより紐の離脱を防止することができるよう構成し、紐を係止したり、解除できるようにした。【選択図】図１
0003132514.tif 000002
【実用新案登録請求の範囲】
【請求項１】
円形または多角形に形成した板状本体の中央部から外縁に亙ってやや広がった紐挿通用のスリットを開設してその中央寄りの最深部を紐係止部となし、この紐係止部近傍に紐離脱防止用のストッパ−を出入或いは嵌合自在に設けたことを特徴とする緊締補助具
【請求項２】
円形または多角形に形成した板状本体の内部にストッパ−誘導溝を開設し、この誘導溝に嵌入したストッパ−の外側端を板状本体外縁より少なくともスリット幅以上の長さ分突き出した状態で本体上部に折り返し、その折り返し部分を操作片として前後に移動し、スリット内にストッパーを出入できるようにしたことを特徴とする請求項１記載の緊締補助具
【請求項３】
長方形に形成した板状本体の内部にストッパ−誘導溝を開設し、該誘導溝を貫通する板状ストッパーの左右両側端に半円弧状の操作片を設け、操作片を左右交互に移動することによりスリット内にストッパ−を出入できるようにしたことを特徴とする請求項１記載の緊締補助具
【請求項４】
本体内部のスリットに添った部位からその対向する端縁部までストッパ−誘導溝を開設し、スリットの最深部近傍に中心軸を有する板状のストッパ−を配設し、該ストッパーの後端部を本体外縁より突出させて操作片となし、該操作片を左右に操作することによりスリット内にストッパ−を出入させるようにしたことを特徴とする請求項１記載の緊締補助具
【請求項５】
スリットに直交する条溝を本体上部に開設し、この条溝に嵌合する板状のストッパ−兼操作レバ−の一端を本体の端縁又はその近傍にヒンジし、その他端を本体より一部せり出して操作片とし、条溝内にストッパー兼操作レバーを嵌入出できるようにしたことを特徴とする請求項１記載の緊締補助具項
【請求項６】
本体に開設したスリットの最深部近傍に回動軸を有するツマミ状のストッパーに小スリットを設け、両スリットを一致させた状態で紐を通した後このツマミ状ストッパーを回転することによりストップ機能を発揮し、再度両スリットを一致させて解除できるようにしたことを特徴とする請求項１記載の緊締補助具
【請求項７】
円形または多角形に形成した板状本体の一部に紐挿通用の小スリットを開設し、その内端近傍に紐切断用のカッターを内設したことを特徴とする請求項１乃至請求項６記載の緊締補助具
【請求項８】
円形または多角形に形成した板状本体の底部に磁石を取り付けたことを特徴とする請求項１乃至請求項６記載の緊締補助具
【考案の詳細な説明】
【技術分野】
【０００１】  本考案は、古新聞や古雑誌のような積み重ねると崩れやすい物品を十文字に梱包する際に使用すると婦女子や高齢者でも簡単にかつ確実に緊締することができ、しかも、繰り返し使用できる便利な緊締補助具に関するものである。
【背景技術】
【０００２】  近年、資源リサイクルが社会問題となり、古新聞や古雑誌等をゴミ集積場や古紙回収業者に出す場合に、これらを分別し、梱包して出すことを徹底する自治体や回収業者が多くなり、また、自治体によっては後処理の問題で新聞販売店がサービスで配布する収納嚢に新聞は入れないで紐で束ねるよう要望しているところもある。【０００３】  一般的に、各家庭でゴミ捨てを担当し、これら古新聞や、古雑誌等を積み重ねて十文字等に縛る機会が多いのが力の弱い婦女子や高齢者である。
これまで、物を縛る機会のほとんど無かった婦女子には被梱包物が重かったり、嵩張ったりした場合、特に新聞や週刊誌のように厚さの薄い雑誌類を重ねた場合には、縛る最中にこれらの束が崩れたり、折角縛っても紐が緩んで解けたりするなど思い通りにならないことが多かった。【０００４】  従来梱包時に使用する緊締用の補助具として特開２０００−１６８７１８号や特開２０００−１６８８２６号がある。
前者は、図７及び図８に示すように、プラスチックや厚紙を材料とし、円形又は多角形の本体Ｅの中央に上下に貫通した係合孔Ｅａを設け、本体Ｅの外縁から係合孔ＥａにいたるスリットＥｂを設けたもので、使用に際しては、紐Ｆの一端Ｆａに結び目Ｆｂを形成してこれを係合孔Ｅａに係合させ、次に、紐Ｆを被梱包物Ｇに数回巻き回し、紐Ｆを本体Ｅの下面に巻き付けた後，更に紐Ｆを被梱包物Ｇに十文字状にクロスしたいわゆる十文字縛りをし、然る後紐Ｆの他端ＦｃをスリットＥｂに係止するようにしたものである。【０００５】  従って、この発明は紐の端ＦｃをスリットＥｂに結び止める必要がないので、婦女子でも梱包を容易に手早く、かつ、頑丈に行うことができるとともに平板状であるからプレス加工が可能で安価に製造でき、使い捨ても容認できるなどの特徴を有している。
なお、本体Ｅは紐Ｆの両端ＦａとＦｂを結び合わせた場合は引き抜いて繰り返し利用することも可能である。
【特許文献１】  特開２０００−１６８７１８号公報
【０００６】  また、（特許文献２）特開２０００−１６８８２６号の発明は図９に示すように、方形枠状の緊締枠Ｈの隣接する２個の角部Ｈ１、Ｈ２にそれぞれ荷造り紐Ｉ１及びＩ２の各一端を結び付け、順次被梱包物Ｇに掛け回し、その端末部を対応する角部Ｈ３、Ｈ４にそれぞれ引っ掛け、引き締めたのち結び付けることにより被梱包物Ｇを十文字状に緊締するようにしたもので、被梱包体Ｇを簡単、迅速かつ確実に緊締することができることを特徴としている。
【特許文献２】  特開２０００−１６８８２６号公報
【考案の開示】
【考案が解決しようとする課題】
【０００７】  以上に述べた従来の緊締枠はそれなりの目的を果たしてはいるが、（特許文献１）特開２０００−１６８７１８号公報記載の発明は梱包作業中に紐が外れやすかったり、スリットの一番奥の係合孔が広くなっているので紐の結び玉が食い込んで緊締枠を取り外す時に外れにくいなどの欠点があり、また、（特許文献２）特開２０００−１６８８２６号公報の発明は使い捨てタイプで、環境保護という世の中の大きな流れの中で需要が伸びない原因となっていた。【０００８】  本考案は前記の緊締装置の欠点を払拭するとともに、婦女子や高齢者のような力の弱い人が古新聞や古雑誌等を簡単に梱包でき、しかも、繰り返し使用できて環境にやさしい緊締補助具を提供するためになされたものである。
【課題を解決するための手段】
【０００９】  本考案は、上記目的を達成するために、円形または多角形に形成した本体の外縁から中央部に亙って同一幅もしくは内部に向かってやや狭くした紐挿通用のスリットを開設してその最深部を紐係止部となし、この紐係止部近傍に交差して本体内部にストッパー誘導用の誘導溝を設けるか或いはスリットの上部に条溝を開設し、この誘導溝又は条溝にストッパーを嵌入し、これと連結した操作片によりストッパーを出入させて紐の結び玉を確実に係止できるようにする。【００１０】  本考案は、紐の一端から約１０ｃｍ位のところに結び玉を形成してこれを紐係止部に係合させ、次に、操作片によりストッパーを移動して結び玉がずれないように係止したのち、紐を被梱包物に１乃至数回巻き回す（例えば十文字状に巻く）。  この際、緊締補助具を片方の手で引っ張りながら反対の手で紐を被梱包物に巻き付けることができるので手を傷めることなく容易に緊縛することができる。
続いて、紐を本体の下面に１〜２回巻き付け、紐の端から約１０ｃｍ位残してカッターで切断し、操作片を操作してストッパーを解除し、紐同士を結び合わせた後に緊締補助具を取り外し、梱包作業を終了する。  なお、ストッパーの構造により、操作方法や機能的な面で相応の違いがあり、多種多様なデザインの緊締補助具を創出することができる。  また、緊締補助具の一部に小スリットを開設しその奥に紐切断用のカッターを設けておくと紐の切断が容易であり、また、底面に磁石を取り付けておくと冷蔵庫等に簡単に取り付けることができるので管理が容易である。【００１１】  例えば、図１から図３に示したものは緊締補助具の内部にストッパー機能を配設したもので、図１はストッパーの一部で本体の外部に露出する部分の外側端を本体内部に向けて略コ字状に折返してその折り返し部分を操作片とし、操作時に少なくともスリット幅以上の長さ誘導溝内を摺動できて適宜ストップ及び解除できるようにしたもの、図２は図１の緊締補助具を変形したもので、長方形の本体内部に設けた誘導溝内を左右に摺動する摺動板の左右端縁に本体の横幅とほぼ同一の横幅（直径）を有する略半円状の操作片を設け、片側の操作片を押し込んだ際に中央部に設けたスリットの最深部近傍にストッパーが出現してストップ機能が働き、反対側の操作片を中央方向に押し込むことによりストップ機能を解除できるようにしたもの、図３は本体のスリットの最深部に隣接した位置に中心軸を有して回動する板状のストッパーを配設し、本体のスリットと対向する位置の端縁部に操作片を突出させ、該操作片を左右にスライドさせてスリット内にストッパーを出入させるようにしたものである。【００１２】  図４及び図５に示したものは図１乃至図３に示したものとは異なり、本体の上部にストッパー機能を持たせたもので、図４は本体に形成したスリットと直交する条溝を本体表面部分に形成し、この条溝に嵌合する板状のストッパー兼レバーを着脱させるようにしたもので、該ストッパー兼レバーの一端を本体の端縁又はその近傍にヒンジし、他端を本体より一部突出させて操作片としたもので、この操作片を操作してストッパーを条溝に着脱できるようにしたもの、図５は本体のスリットの最深部に接した中心軸で回動するツマミ状の操作片に本体のスリットと同様の小スリットを設け、本体スリットとこのツマミ部分の小スリットが重ね合わさった状態で結び目がツマミ部分の上に来るように荷造紐を挿通した後にツマミ部分を回動することによりストップ機能を果たすことが出来るようにしたものである。
【考案の効果】
【００１３】  この考案は上述のように構成されているので、婦女子や力の衰えた高齢者が古新聞や古雑誌等を簡単かつ確実に梱包できるとともに、梱包終了後は本装置を取り外して繰り返し使用することができるので極めて経済的であり、資源リサイクルに貢献できる地球環境に優しい商品である。
また、本体表面は平滑面が多くＰＲ用の文字や図柄を多く記載することができるのでＰＲ用商品として最適であり、しかも繰り返して使用できるので告知チャンスが増大してそのＰＲ効果は無限となり、ノベルテイ商品としての価値を格段に高めることができるなどの数多くの特徴を有する。
【考案を実施するための最良の形態】
【００１４】    以下、考案の実施例を図面によって詳述する。
【実施例１】
【００１５】  図１において、円形または多角形に形成した板状の本体１１の外縁から中央部に亙って紐挿通用のスリット２１を開設してその最深部を紐係止部３１とする。  スリット２１は直線状でも良いが、本体中央部から外側に向けて徐々に広げた方が紐Ｂを通しやすかったり緊締補助具を取り外しやすい。  この紐係止部３１の近傍でスリット２１に直交するように紐離説防止用のストッパ−４１を摺動するための誘導溝５１を設け、かつ、この誘導溝５１に嵌合させた棒状のストッパ−４１の外側端を本体１１より少なくともスリット２１の幅以上の長さ分突き出した状態で略コ字状に本体上部に折り返してその折り返し部分を操作片６１とし、この操作片６１を前後に移動することによりストッパ−４１をスリット２１内に出入させてストップ及び解除できるようにした緊締補助具Ａ１である。
また、各本体１１の一部に小スリット７を開設してその奥部にカッター８を取り付け荷造り紐Ｂを切断できるようにする。  また、底部に磁石９を取り付けておくと冷蔵庫等に係止できるので保管に便利である。
【実施例２】
【００１６】  図２は図１の緊締補助具Ａ１を変形したもので、長方形の本体１２の内部に設けた誘導溝５２を貫通するストッパー４２の左右端縁に本体１２の横幅とほぼ同一の横幅を有する略半円状の操作片６２ａ及び６２ｂを設けて左右に摺動するようになにし、中央部に設けたスリット２２を挟んで、左側操作片６２ａを押し込んだ際にストップ機能が働くようにストップ片４２ａを設け、右対側の操作片６２ｂを中央方向に押し込むことにより解除できるようにした緊締補助具Ａ２である。  なお、ストップ片４２ａの取り付け位置は左右の操作片のいずれかを操作すれば機能するよう左右いずれでも良いことは勿論である。
【実施例３】
【００１７】  図３に示す緊締補助具Ａ３も緊締補助具Ａ１の変形で、本体１３の内部にスリット２３に添ってストッパ−４３が摺動できる誘導溝５３を開設し、スリット２３の最深部の近傍に回転軸Ｃ１を中心として誘導溝５３内を回動する板状のストッパ−４３を配設し、このストッパー４３の端縁を本体１３の外部に突出させて操作片６３となし、該操作片を左右に操作することによりストップ片４３ａをスリット２３内に出入させるようにしたものである。
【実施例４】
【００１８】  図４に示す緊締補助具Ａ４は、上記実施例の緊締補助具Ａ乃至Ａ３とは異なり、本体１４に設けたスリット２４に直交する条溝５４を本体１４の上部に開設したもので、この条溝５４に嵌合する板状のストッパ−兼レバ−４４の一端４４ａを本体１４の端縁又はその近傍にヒンジし、他端４４ｂを本体１４より一部せり出すように構成して操作片となし、荷造り紐Ｂをスリット２４の紐係止部３４に係止した後にストッパー兼レバー４４を倒して荷造り紐Ｂの離脱を防止するようにしたもので、該ストッパー兼レバー４４の開閉により、ストップ及び解除を出来るようにしたものである。
【実施例５】
【００１９】  図５に示す緊締補助具Ａ５もストップ機能を本体の上部に設けたもので、本体１５に開設したスリット２５の最深部近傍に回動軸Ｃ２を有するツマミ状のストッパー４５には小スリットＤを設け、スリット２５と小スリットＤを一致させた状態で荷造り紐Ｂを通した後にこのツマミ状ストッパー４５を回転することによりストップ機能を作動させ紐Ｂの離脱を防止し、ストップ機能を解放する時には本体１５のスリット２５とツマミ状のストッパ−４５の小スリットＤの方向を一致させることにより緊締補助具Ａ５を取り外すことが出来るようにしたものである。【００２０】  本願緊締補助具Ａは上記の様に構成されているので、ストッパーを外部に設けるか内部に設けるか、或いは外形をどのような形状のものにするかなど要望に応じて多種多様の形態の緊締補助具Ａを製出することが出来る。【００２１】  緊締補助具Ａの使用方法は図１に示す緊締補助具Ａ１を使用して図６により説明すると、まず、古新聞や古雑誌のような重ねると崩れやすい被梱包物Ｇを梱包する場合、荷造り紐Ｂの先端Ｂａから約１０ｃｍ位のところに結び玉Ｂｂを形成したのちこれをスリット２１の最奥部の紐係止部３１に係止し、次に、ストッパー４１の操作片６１を緊締補助具Ａ１の内部方向に押し込んで結び玉Ｂｂが外れないように係止したのち、緊締補助具Ａ１を図６に示すように被梱包物Ｇの中央部に置き、片方の手で固定しながら反対の手で荷造り紐Ｂを１乃至数回巻き回す。
この際、緊締補助具Ａ１を反対方向に引っ張りながら紐Ｂを被梱包物Ｇに巻き付けることができるので手を痛めることなく容易に緊縛することができる。【００２２】  続いて、荷造り紐Ｂを緊締補助具Ａ１の下面に引っかけ１〜２回巻き付けて方向転換し、荷造り紐Ｂを被梱包物Ｇに十文字にクロスしていわゆる十文字縛りをし、再度荷造り紐Ｂを緊締補助具Ａ１の下面に１〜２回巻き付けた後、荷造り紐Ｂの端から約１０ｃｍ位残してカッター８で切断して紐Ｂの端部を紐Ｂｃとなし、緊締補助具Ａ１の操作片６１を外側に向けて移動してストッパー４１を係止部３１から解除するとともに紐Ｂａと紐Ｂｃを固く結び付けた後に緊締補助具Ａ１を取り外す。
なお、紐Ｂをカッター４１で切断（切断手段は当該カッター４１に限定する必要はない）するタイミング及び緊締補助具Ａ１を取り外すタイミングは梱包物Ｇの形態、縛り具合、紐Ｂの緊締具合等により使い勝手の良い方法を使用者が選択すればよく、例えば上記の使用例の場合、ストッパー４１を解除して緊締補助具Ａ１を取り外した後に紐Ｂａと紐Ｂｃを結び付けたり、また、紐Ｂをカッター４１で切断するタイミングも、紐Ｂａと紐Ｂｃを結び付けた後でもよいことは勿論である。【００２３】  取り外した緊締補助具Ａ１は繰り返し使用することができるので極めて経済的であり、また、環境にも優しい商品である。
【図面の簡単な説明】
【００２４】
【図１】本体の外部に突き出た部分を略コ字状に折り返して形成した操作片を有するストッパーを設けた実施例１記載の緊締補助具の斜視図
【図２】本体の左右に略半円状の操作片を設けた実施例２記載の緊締補助具の斜視図
【図３】スリット最深部近傍に回動軸を設け、本体後部に突出する操作片を設けた実施例３記載の緊締補助具の斜視図
【図４】スリットに直交して本体上部に開設した条溝にストッパー兼レバーを嵌入出させるようにした実施例４記載の緊締補助具の斜視図
【図５】本体のスリット最深部近傍に回動軸を有し、かつ小スリットを有するツマミ状ストッパーを設けた実施例５記載の緊締補助具の斜視図
【図６】緊締補助具Ａ１を使用した梱包方法を説明する斜視図で（ａ）は梱包の途中、（ｂ）は梱包後の状態を表す。
【図７】特許文献１記載の緊締補助具の斜視図
【図８】同上緊締補助具を使用した梱包方法を示す斜視図で（ａ）は梱包の途中、（ｂ）は梱包後の状態を表す。
【図９】（ａ）は特許文献２記載の緊締補助具（ｂ）は梱包状態を示す斜視図
【符号の説明】
【００２５】１１  実施例１記載の緊締補助具Ａ１の本体
２１  スリット
３１  紐係止部
４１  ストッパー
５１  誘導溝
６１  操作片
７    紐切断部の小スリット
８    カッター
９    磁石
１２  同上実施例２記載の緊締補助具Ａ２の本体
２２  スリット
３２  紐係止部
４２  ストッパー
４２ａストップ片
５２  誘導溝
６２ａ左側の操作片
６２ｂ右側の操作片
１３  実施例３記載の緊締補助具Ａ３の本体
２３  スリット
３３  紐係止部
４３  ストッパー
４３ａストップ片
５３  誘導溝
６３  操作片
１４  実施例４記載の緊締補助具Ａ４の本体
２４  スリット
３４  紐係止部
４４  ストッパー兼レバー
４４ａストッパー兼レーバーの一端
４４ｂストッパー兼レバーの他端
５４  条溝
１５  実施例５記載の緊締補助具Ａ５の本体
２５  スリット
４５  ツマミ状のストッパー
Ａ１  実施例１記載の緊締補助具
Ａ２  実施例２記載の緊締補助具
Ａ３  実施例３記載の緊締補助具
Ａ４  実施例４記載の緊締補助具
Ａ５  実施例５記載の緊締補助具
Ｂ    紐
Ｂａ  紐の一端
Ｂｂ  紐の結び玉
Ｂｃ  紐の他端
Ｃ１  実施例３記載の緊締補助具Ａ３の回動軸
Ｃ２  実施例５記載の緊締補助具Ａ５の回動軸
Ｄ    小スリット
Ｅ    特許文献１記載の発明の緊締補助具の本体
Ｅａ  同上緊締補助具の係合孔
Ｅｂ  同上緊締補助具のスリット
Ｆ    同上緊締補助具で使用する紐
Ｆａ  同上紐の一端
Ｆｂ  同上紐の結び玉
Ｆｃ  同上紐の他端
Ｇ    被梱包物
Ｈ    特許文献２記載の発明の緊締枠
Ｈ１  同上緊締枠の角部
Ｈ２  同上緊締枠の角部
Ｈ３  Ｈ１に対向する角部
Ｈ４  Ｈ２に対向する角部
Ｉ１  Ｈ１に結びつける紐
Ｉ２  Ｈ２に結びつける紐
【図１】
0003132514.tif 000003
【図２】
0003132514.tif 000004
【図３】
0003132514.tif 000005
【図４】
0003132514.tif 000006
【図５】
0003132514.tif 000007
【図６】
0003132514.tif 000008
【図７】
0003132514.tif 000009
【図８】
0003132514.tif 000010
【図９】
0003132514.tif 000011